(57)【特許請求の範囲】
【請求項１】
各電気機器に対応して設けられ当該対応する電気機器を識別するＩＤが書き込まれたメモリを備えたスレーブ機器と、このスレーブ機器が接続されるマスター機器と、このマスター機器が通信回線を介してアクセス可能なサーバとを含み、
前記スレーブ機器は、対応する電気機器の消費電力を測定する電力測定回路と、前記マスター機器と通信するスレーブ制御部とを備え、
前記マスター機器は、前記スレーブ機器と通信し前記電気機器のＩＤを識別するマスター制御部と、前記サーバと通信する接続部と、前記スレーブ機器から受信した電気機器の消費電力に関するデータを保存するメモリとを備え、
前記サーバは、前記マスター機器から受信した電気機器の消費電力に関するデータをデータベースに保存し、要求に応じてクライアントに提供することを特徴とする電気機器の消費電力管理システム。
【請求項２】
各電気機器に対応して設けられ当該対応する電気機器を識別するＩＤが書き込まれたメモリを備えたスレーブ機器と、このスレーブ機器が接続されるマスター機器とを含み、
前記スレーブ機器は、対応する電気機器の消費電力を測定する電力測定回路と、前記マスター機器と通信するスレーブ制御部とを備え、
前記マスター機器は、前記スレーブ機器と通信し前記電気機器のＩＤを識別するマスター制御部と、前記スレーブ機器から受信した電気機器の消費電力に関するデータを保存するメモリと、入力装置と、人が前記入力装置から入力した要求に応じて前記メモリに保存した電気機器の消費電力に関するデータを出力する出力装置とを備えことを特徴とする電気機器の消費電力管理システム。
【請求項３】
各電気機器に対応して設けられ当該対応する電気機器を識別するＩＤが書き込まれたメモリを備えたスレーブ機器と、このスレーブ機器が通信回線を介してアクセス可能なサーバとを含み、
前記スレーブ機器は、対応する電気機器の消費電力を測定する電力測定回路と、前記サーバと通信するスレーブ制御部とを備え、
前記サーバは、前記電気機器のＩＤを識別し、前記スレーブ機器から受信した電気機器の消費電力に関するデータをデータベースに保存し、要求に応じてクライアントに提供することを特徴とする電気機器の消費電力管理システム。
【請求項４】
前記サーバは、消費電力と電力料金との関係の情報を前記データベースに保持し、要求に応じて電気機器の消費電力に必要な電力料金のデータをクライアントに提供することを特徴とする請求項１または３に記載の電気機器の消費電力管理システム。
【請求項５】
前記マスター機器は、消費電力と電力料金との関係の情報を前記メモリに保持し、人が前記入力装置から入力した要求に応じて電気機器の消費電力に必要な電力料金のデータを前記出力装置に出力することを特徴とする請求項２に記載の電気機器の消費電力管理システム。
【請求項６】
前記スレーブ機器の電力測定回路は、電気機器が接続された電源ケーブルに取り付けられ、当該電源ケーブルにより電気機器に供給される消費電力を測定することを特徴とする請求項１〜５のいずれかに記載の電気機器の消費電力管理システム。
【発明の詳細な説明】
【０００１】
【発明の属する技術分野】
本発明は、電気機器の消費電力管理システムに関し、特に家庭または企業等において使用する種々多数の電気機器が消費する電力を各電器機器ごとに集中して管理するための消費電力管理システムに関する。
【０００２】
【従来の技術】
従来は、各家庭または各企業あるいは企業内の各部署ごとに積算電力計を設け、これらに設けられた全ての電気機器が消費する電力を総合的に検出していたが、個々の電気機器の消費電力は、検出していなかった。
【０００３】
【発明が解決しようとする課題】
各家庭、及び各企業における電気機器の種類は様々であり、且つその数は驚くほど多い。各電気機器がどの程度の電力消費を行い、どの程度の電力料金を必要とするかを知ることは、省エネルギー、省コストを行う為の有効な手段であるが、従来これら電気機器それぞれの消費電力量を得ることはできなかった。
【０００４】
本発明は、これらの問題を解決する消費電力管理システムを提供することを目的とする。
【０００５】
【課題を解決するための手段】
本発明の電気機器の消費電力管理システムは、各電気機器に対応して設けられ当該対応する電気機器を識別するＩＤが書き込まれたメモリを備えたスレーブ機器（図１の１）と、このスレーブ機器が接続されるマスター機器（図１の２）と、このマスター機器が通信回線（図１の６）を介してアクセス可能なサーバ（図１の３）とを含み、
前記スレーブ機器は、対応する電気機器の消費電力を測定する電力測定回路（図２の１２）と、前記マスター機器と通信するスレーブ制御部（図２の１１）とを備え、
前記マスター機器は、前記スレーブ機器と通信し前記電気機器のＩＤを識別するマスター制御部（図３の２１）と、前記サーバと通信する接続部（図３の２３）と、前記スレーブ機器から受信した電気機器の消費電力に関するデータを保存するメモリ（図３の２２）とを備え、
前記サーバは、前記マスター機器から受信した電気機器の消費電力に関するデータをデータベースに保存し、要求に応じてクライアント（図１の４）に提供することを特徴とする。
【０００６】
本発明の電気機器の消費電力管理システムは、各電気機器に対応して設けられ当該対応する電気機器を識別するＩＤが書き込まれたメモリを備えたスレーブ機器（図１の１）と、このスレーブ機器が接続されるマスター機器（図１の２）とを含み、
前記スレーブ機器は、対応する電気機器の消費電力を測定する電力測定回路（図４の１２）と、前記マスター機器と通信するスレーブ制御部（図４の１１）とを備え、
前記マスター機器は、前記スレーブ機器と通信し前記電気機器のＩＤを識別するマスター制御部（図３の２１）と、前記スレーブ機器から受信した電気機器の消費電力に関するデータを保存するメモリ（図３の２２）と、入力装置と、人が前記入力装置から入力した要求に応じて前記メモリに保存した電気機器の消費電力に関するデータを出力する出力装置とを備えことを特徴とする。
【０００７】
本発明の電気機器の消費電力管理システムは、各電気機器に対応して設けられ当該対応する電気機器を識別するＩＤが書き込まれたメモリを備えたスレーブ機器（図５の１）と、このスレーブ機器が通信回線（図５の６）を介してアクセス可能なサーバ（図５の３）とを含み、
前記スレーブ機器は、対応する電気機器の消費電力を測定する電力測定回路（図２の１２）と、前記サーバと通信するスレーブ制御部（図２の１１）とを備え、
前記サーバは、前記電気機器のＩＤを識別し、前記スレーブ機器から受信した電気機器の消費電力に関するデータをデータベースに保存し、要求に応じてクライアント（図５の５）に提供することを特徴とする。
【０００８】
上述の電気機器の消費電力管理システムで、前記サーバは、消費電力と電力料金との関係の情報を前記データベースに保持し、要求に応じて電気機器の消費電力に必要な電力料金のデータをクライアントに提供するようにすることもできる。
【０００９】
上述の電気機器の消費電力管理システムで、前記マスター機器は、消費電力と電力料金との関係の情報を前記メモリに保持し、人が前記入力装置から入力した要求に応じて電気機器の消費電力に必要な電力料金のデータを前記出力装置に出力するようにすることもできる。
【００１０】
上述の電気機器の消費電力管理システムは、前記スレーブ機器の電力測定回路は、電気機器が接続された電源ケーブルに取り付けられ、当該電源ケーブルにより電気機器に供給される消費電力を測定するようにすることもできる。
【００１１】
【発明の実施の形態】
次に、本発明の実施の形態について図面を参照して詳細に説明する。
【００１２】
図１は、本発明の実施の形態の電気機器の消費電力管理システムのブロック図である。
【００１３】
図１において、複数の電気機器（図示略）それぞれに対応してスレーブ機器１が設けられている。全てのスレーブ機器１は、２芯線７により共通にマスター機器２に接続され、マスター機器は電話回線６によりサーバ３に接続されている。
【００１４】
マスター機器２は、スレーブ機器１への各種の設定、スレーブ機器１からのデータをまとめ、サーバ３との接続およびデータのやりとりを行う。
【００１５】
図２は、スレーブ機器１のブロック図である。スレーブ機器１は、マスター機器２との接続、マスター機器２からの要求の受け入れ、マスター機器２とのネゴシエーションを行うためのスレーブ制御部１１と、電気機器の消費電力を測定する電力測定回路１２と、マスター機器２とのネゴシエーションを行う際に用いられる対応する電気機器のメーカ、機器種別、機器名およびシリアルナンバー等のＩＤ（識別番号）が書き込まれているＲＯＭ１３と、マスター機器２からの設定条件に基づき電力測定回路１２の測定結果から必要な情報を算出するための演算回路１５と、その結果を保存するメモリ１６、マスター機器２から要求された測定時間を設定するためのＲＴＣ（リアルタイムクロック）１７と、これに付属するＲＴＣ用メモリ１８とによって構成され、測定対象とする電気機器に内蔵されている。
【００１６】
但し、ＲＴＣ１７およびＲＴＣ用メモリ１８は、測定時刻を示す信号がマスター機器２から提供される場合は、スレーブ機器１に不要である。
【００１７】
図３は、マスター機器２のブロック図である。マスター機器２は、スレーブ機器１との接続、マスター機器２から要求の送付およびスレーブ機器１とのネゴシエーションを行うためのマスター制御部２１と、ネゴシエーションの結果を保存するメモリ２２と、サーバ３に対する接続、ネゴシエーションおよびデータのやりとりを行う接続部２３と、スレーブ機器１への要求する測定時間を設定するためのＲＴＣ２４と、これに付属するＲＴＣ用メモリ２５とで構成される。
【００１８】
サーバ３は、マスター機器２から受け取った消費電力のデータを登録し、ユーザＩＤ、電力会社との契約情報、電気料金を保有するデータベースを備えている。また、サーバ３にはあらかじめ、これらのデータを保存するデータベースソフトと、Ｗｅｂを介してアクセスする場合のＷｅｂサーバと、集計等を行う、アプリケーションソフトとを有する。またサーバ３は、ユーザおよび契約情報の条件に基づき、各スレーブ機器１に対応する電気機器の使用時間状況、使用電力、料金等を算出し、グラフ化、分析、データの蓄積、管理等を行うことを可能とするアプリケーションソフトも有する。
【００１９】
クライアント４は、インターネット５を介してサーバ３に接続されるパーソナルコンピュータからなる。
【００２０】
次に、図１〜３に示す電気機器の消費電力管理システムの動作について図面を参照して説明する。
【００２１】
マスター機器２および全てのスレーブ機器１は、２芯線７で共通に接続され、マスター機器２は、ＲＯＭ１３に格納されたメーカ、機器種別、機器名、シリアルナンバー等のＩＤを示すユニークなコードにより識別して、各スレーブ機器１と個別にシリアル転送で通信する。
【００２２】
マスター機器２からスレーブ機器１に対する命令は、要求データの読み出し、および各種のモードを設定する為のレジスタライト等である。スレーブ機器１は、マスター機器２から要求された処理を行う。
【００２３】
まず、マスター機器２は、この２芯線７に接続されている全てのスレーブ機器１の接続を確認するためのネゴシエーションを行う。すなわち、マスター機器２は、ＩＤコード等を２芯線７を介して全てのスレーブ機器１に送り出し、そのＩＤをＲＯＭ１３に有するスレーブ機器１から応答を受けることでそのＩＤが示すスレーブ機器１が接続されていることを確認し、応答がなかったときは、そのようなスレーブ機器１が接続されていないものと判断する。これを予め定められた全てのＩＤコードについて行う。または、マスター機器２に接続された全てのスレーブ機器１およびそのＩＤコード等が分かっていれば、入力キーによるマスター機器２にＩＤを手入力をするようにしても良い。マスター機器２は、接続されている全てのスレーブ機器１のＩＤをメモリ２２に保存する。
【００２４】
マスター機器２側で人が入力することにより、接続された各スレーブ機器１ごとに、常時、年間、月間、１週間等の消費電力を確認したい期間を設定する。この後にマスター機器２は、各スレーブ機器１に対して、この期間を設定する。
【００２５】
スレーブ機器１は、電力測定回路１２が対応する電気機器の消費電力を測定し、一定の周期で測定結果をメモリ１６に書き込む。
【００２６】
マスター機器２は、設定した期間が完了したら、各スレーブ機器１へデータの要求を行い、スレーブ機器１はマスター機器２にメモリ１６から消費電力のデータを出力する。
【００２７】
スレーブ機器１からデータを取得したマスター機器２は、電話回線６またはインターネット、専用線等を使用してサーバ３にアクセスし、消費電力のデータをデータベースへ登録する。サーバ３は、これらのデータをデータベースに保存し、集計等を行い、各機器の使用時間状況、使用電力、料金等を算出し、アプリケーションソフトにより、グラフ化、分析、データの蓄積、管理等を行うことを可能とする。
【００２８】
また、アプリケーションソフトによっては、２４時間の消費電力のモニタを行い、将来の消費電力および電力料金を予測するということも可能となる。また、数ヶ月または数年の消費電力のデータを比較し分析するなどのサービスを行うことも可能である。
【００２９】
ユーザは、クライアント４を用いてサーバ３にアクセスし、消費電力に関する必要な情報を得ることができる。
【００３０】
図４は、本発明の他の実施の形態の電気機器の消費電力管理システムのブロック図である。
【００３１】
図４の消費電力管理システムでは、マスター機器８としてサーバにアクセスする必要のないスタンドアローン型の装置を用いている。例えば、図１に示す消費電力管理システムのマスター機器２としては、図３に示すメモリ２２等の機能を付加した電話機を用いることができるが、図４の消費電力管理システムのマスター機器８としては、設定を行うための入力装置および表示装置を備えたパーソナルコンピュータを用い、図３に示す機能を持たすことができる。
【００３２】
ユーザは、入力装置により設定条件、契約情報等の消費電力から電力料金を換算するためのデータをマスター機器８に入力する。または、これら電力料金を算出するための情報だけは、サーバ３からダウンロード出来るようにしても良いが、ユーザが直接、マスター機器８にこれら情報を入力するようにすれば、マスター機器８をサーバ３から完全に切り離し、サーバへのアクセス部分を削除した構成とすることもできる。
【００３３】
このようにサーバと切り離した場合に、全てのスレーブ機器にマスター機器の機能を付加させ、その内の一つがマスター機器として機能するようにし、自身が表示、及び設定機能を持つ用にしても良い。
【００３４】
図５は、本発明のさらに他の実施の形態の電気機器の消費電力管理システムのブロック図である。
【００３５】
図５の消費電力管理システムでは、マスタ機器の機能をサーバ３そのものに持たせ、スレーブ機器９を電話回線６またはインターネット５を介してサーバ３に接続するようにし、マスター機器を有しない構成である。この場合には、スレーブ機器９は、図２に示すものにスレーブ制御部１をサーバ３に接続する接続部を付加したものとなる。
【００３６】
なお、既存の電気機器に対応するために、電気機器の電源用の延長ケーブルにスレーブ機器を取り付け、電力測定回路１２がその延長ケーブルを通して供給される電力を測定するようにしても良い。すなわち、電気機器に対しスレーブ機器を外付けするようにも構成できる。
【００３７】
また、スレーブ機器を電気機器に内蔵する場合は、スレーブ機器とマスター機器との間で通信するための２芯線を電気機器の電源ケーブルに沿わせて配線することも可能である。
【００３８】
【発明の効果】
本発明の消費電力管理システムによれば、各家庭または各企業にて使用している個々の電気機器に対する電力料金を容易に算出する事が出来る。
【図面の簡単な説明】
【図１】本発明の実施の形態の消費電力管理システムのブロック図である。
【図２】図１中のスレーブ機器１のブロック図である。
【図３】図１中のマスター機器２のブロック図である。
【図４】本発明の他の実施の形態の消費電力管理システムのブロック図である。
【図５】本発明のさらに他の実施の形態の消費電力管理システムのブロック図である。
【符号の説明】
１    スレーブ機器
２    マスター機器
３    サーバ
４    クライアント
５    インターネット
６    電話回線
７    ２芯線
８    マスター機器
９    スレーブ機器
１１    スレーブ制御部
１２    電力測定回路
１３    ＲＯＭ
１５    演算回路
１６    メモリ
１７    ＲＴＣ
１８    ＲＴＣ用メモリ
２１    マスター制御部
２２    メモリ
２３    接続部
２４    ＲＴＣ
２５    ＲＴＣ用メモリ
【図１】
0003641443.tif 000002
【図２】
0003641443.tif 000003
【図３】
0003641443.tif 000004
【図４】
0003641443.tif 000005
【図５】
0003641443.tif 000006